(57)【要約】【課題】外壁面の開放感を向上させるとともに意匠性も良好にできる面材支持構造およびカーテンウォールを提供すること。【解決手段】ガラスパネル７の下端縁７Ａが支持体５の第１支持部１３に支持され、ガラスパネル７の上端部７Ｂ近傍の側端縁が支持体５の第２支持部１６に支持されるので、無目等の横材が不要にできる。さらに、ガラスパネル７の上端部７Ｂと上側のガラスパネル７の下部との対向間に横材がなく隙間が形成されることで、開放感を向上させることができるとともに、意匠性を良好にすることができる。【選択図】図３
2010163838.tif 000002
【特許請求の範囲】
【請求項１】
上下に配置される少なくとも一対の面材を支持する支持体を備えた面材支持構造であって、
前記支持体は、その上側に配置される上側面材の下端縁端部を支持する第１支持部と、前記上側面材の下側に配置される下側面材の上端縁よりも下方の側端縁を支持する第２支持部とを有して構成され、
前記第１支持部は、前記第２支持部よりも屋外側に設けられるとともに、上方に開口して前記上側面材の下端縁を受け入れ可能に形成され、
前記第２支持部は、側方に開口して前記下側面材の側端縁を受け入れ可能に形成されている面材支持構造。
【請求項２】
前記第１支持部は、見付け方向左右に延びて形成されるとともに、左右に隣り合って配置される一対の前記上側面材の各下端縁を支持可能に構成され、
前記第２支持部は、見付け方向左右の互いに反対向きに開口する一対で構成されるとともに、左右に隣り合って配置される一対の前記下側面材の各側端縁をそれぞれ支持可能に構成されている請求項１に記載の面材支持構造。
【請求項３】
前記支持体は、見付け方向左右に平行な材軸を有して形成された第１部材と、上下方向に平行な材軸を有して形成された第２部材とを組み合わせて構成され、
前記第１部材には、その屋外側端部にて前記第１支持部を構成する屋外側凹溝部と、この屋外側凹溝部よりも屋内側にて前記第２支持部を構成する屋内側切欠部とが形成され、
前記第２部材には、前記第１部材の屋内側切欠部と平面的に重なって前記第２支持部を構成する屋内側凹溝部が形成されている請求項１または請求項２に記載の面材支持構造。
【請求項４】
前記第１部材は、中空状断面を有して形成され、この第１部材の中空部に前記第２部材が挿入されて当該第１部材および第２部材が組み合わされている請求項３に記載の面材支持構造。
【請求項５】
上下に配置される少なくとも一対の面材と、請求項１から請求項４のいずれかに記載の面材支持構造とを備えたカーテンウォールであって、
前記一対の面材のうち下側の面材は、前記面材支持構造を構成する支持体よりも上方に突出するとともに、その上端縁が上側の面材の屋内側に所定の隙間を介して対向して設けられているカーテンウォール。
【請求項６】
前記隙間には、屋内空間と屋外空間とを連通させる通気手段が設けられている請求項５に記載のカーテンウォール。
【請求項７】
前記隙間には、前記上側および下側の面材に渡りかつ左右に位置する前記支持体に支持される中間面材が設けられている請求項５または請求項６に記載のカーテンウォール。
【請求項８】
前記支持体が上下に離隔して複数設けられ、これら上下の支持体間には、前記面材の側端縁を支持する縦材が架設されている請求項５から請求項７のいずれかに記載のカーテンウォール。
【発明の詳細な説明】
【技術分野】
【０００１】
本発明は、面材支持構造およびカーテンウォールに関する。
【背景技術】
【０００２】
従来、建物の外壁面を構成するカーテンウォールとして、上下に延びる方立と、左右の方立間に架設される無目と、これらの方立および無目で囲まれた内部に支持されるガラスパネルとを備えたカーテンウォールが知られている（例えば、特許文献１参照）。
特許文献１に記載のカーテンウォールにおいて、無目は、左右に延びるアルミ押し出し形材製であって、その屋外側端部にて上方に開口しガラスパネルの下端縁を保持する呑込部と、この呑込部よりも屋内側にて下方に開口しガラスパネルの上端縁を保持する呑込部とを有して形成されている。これにより、ガラスパネルは、上部に向かうにしたがい屋内側に傾斜した状態で保持されるようになっている。
【０００３】
【特許文献１】特許第３６６８０５７号公報
【発明の開示】
【発明が解決しようとする課題】
【０００４】
しかしながら、従来のカーテンウォールでは、無目に形成された屋内外一対の呑込部によってガラスパネルの上下端縁をそれぞれ保持する構造であるため、上下のガラスパネルを仕切って無目が必要になり、外壁面としての開放感が十分とはいえず、またカーテンウォールの外観上、方立および無目が格子状に露出することから、意匠性の点でも改良が望まれていた。
【０００５】
本発明の目的は、外壁面の開放感を向上させるとともに意匠性も良好にできる面材支持構造およびカーテンウォールを提供することにある。
【課題を解決するための手段】
【０００６】
本発明の面材支持構造は、上下に配置される少なくとも一対の面材を支持する支持体を備えた面材支持構造であって、前記支持体は、その上側に配置される上側面材の下端縁端部を支持する第１支持部と、前記上側面材の下側に配置される下側面材の上端縁よりも下方の側端縁を支持する第２支持部とを有して構成され、前記第１支持部は、前記第２支持部よりも屋外側に設けられるとともに、上方に開口して前記上側面材の下端縁を受け入れ可能に形成され、前記第２支持部は、側方に開口して前記下側面材の側端縁を受け入れ可能に形成されていることを特徴とする。
【０００７】
このような本発明によれば、支持体の第１支持部で上側面材の下端縁端部を支持し、第２支持部で下側面材の側端縁を支持することで、上下の面材を仕切って左右に延びるような無目が不要にできる。そして、第２支持部によって下側面材の上端縁よりも下方の側端縁を支持する、つまり下側面材の上端縁が支持体よりも上方に延びるように下側面材を支持することで、上側面材の下部と下側面材の上部とが見込み方向に重なった状態で上下の面材が支持されるとともに、これらの面材同士の重なり部分に無目などが配置されないことから、開放感を向上させることができるとともに、意匠性を良好にすることができる。さらに、上下の面材が見込み方向に重なるように支持したことで、その重なり部分の隙間を介して屋内外を通気させたり、重なり部分によって雨の浸入を防止したり、重なり部分の隙間に意匠面材や各種機能部品を配置したりなど、外壁面としての用途を拡大することができ、利便性を向上させることができる。
【０００８】
この際、本発明の面材支持構造では、前記第１支持部は、見付け方向左右に延びて形成されるとともに、左右に隣り合って配置される一対の前記上側面材の各下端縁を支持可能に構成され、前記第２支持部は、見付け方向左右の互いに反対向きに開口する一対で構成されるとともに、左右に隣り合って配置される一対の前記下側面材の各側端縁をそれぞれ支持可能に構成されていることが好ましい。
このような構成によれば、面材が左右に隣り合う壁面中間位置において、上下左右の面材を前記支持体によって支持することで、従来の方立や無目を省略し、外壁面の開放感を格段に向上させることができる。
【０００９】
また、本発明の面材支持構造では、前記支持体は、見付け方向左右に平行な材軸を有して形成された第１部材と、上下方向に平行な材軸を有して形成された第２部材とを組み合わせて構成され、前記第１部材には、その屋外側端部にて前記第１支持部を構成する屋外側凹溝部と、この屋外側凹溝部よりも屋内側にて前記第２支持部を構成する屋内側切欠部とが形成され、前記第２部材には、前記第１部材の屋内側切欠部と平面的に重なって前記第２支持部を構成する屋内側凹溝部が形成されていることが好ましい。
このような構成によれば、互いに材軸方向が交差する第１部材および第２部材を用いて支持体を構成することで、屋内側切欠部を形成した第２支持部の位置で第１部材の強度が低下したとしても、屋内側凹溝部を有する第２部材によって補強することができ、支持体としての強度を確保することができる。また、第１部材および第２部材で支持体を構成することで、第１部材および第２部材をそれぞれ押出し形材によって形成することができ、鋳造製や鍛造製の支持体と比較して製造コストを低減することができる。
【００１０】
さらに、本発明の面材支持構造では、前記第１部材は、中空状断面を有して形成され、この第１部材の中空部に前記第２部材が挿入されて当該第１部材および第２部材が組み合わされていることが好ましい。
このような構成によれば、第１部材の中空部に第２部材を挿入して組み合わせることで、支持体の組み立てが容易にできるとともに、各部材の組立精度も向上させることができる。
【００１１】
一方、本発明のカーテンウォールは、上下に配置される少なくとも一対の面材と、前記いずれかの面材支持構造とを備えたカーテンウォールであって、前記一対の面材のうち下側の面材は、前記面材支持構造を構成する支持体よりも上方に突出するとともに、その上端縁が上側の面材の屋内側に所定の隙間を介して対向して設けられていることを特徴とする。
このようなカーテンウォールによれば、面材を支持する方立や無目を省略して外壁面の開放感を向上させるとともに、外観意匠性を良好にすることができる。
【００１２】
この際、本発明のカーテンウォールでは、前記隙間には、屋内空間と屋外空間とを連通させる通気手段が設けられていることが好ましい。
このような構成によれば、通気手段によって外気を導入するあるいは内気を排出することで、屋内空間を換気することができ、空気環境を良好にすることができる。この際、上側の面材の下部と下側の面材の上部とが見込み方向に重なっていることで、その重なり部分によって雨の浸入を防止することができる。
【００１３】
また、本発明のカーテンウォールでは、前記隙間には、前記上側および下側の面材に渡りかつ左右に位置する前記支持体に支持される中間面材が設けられていてもよい。
このような構成によれば、中間面材によって上下の面材の重なり部分の隙間を塞ぐことで、雨の浸入をより効果的に防止できるとともに、必要に応じて屋内外を遮蔽することで、空調負荷を低減させることができる。
【００１４】
さらに、本発明のカーテンウォールでは、前記支持体が上下に離隔して複数設けられ、これら上下の支持体間には、前記面材の側端縁を支持する縦材が架設されていてもよい。
このような構成によれば、上下の支持体間に架設される縦材によって面材の側端縁を支持することで、面材をより確実に支持できるとともに、左右に隣り合う面材の間隔を拡げた場合でも、それらの隙間を縦材で塞いで止水したり気密したりすることができ、止水性能や断熱性能を向上させることができる。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１６】
〔第１実施形態〕
図１は、第１実施形態に係るカーテンウォール１により構成された建物外壁を示す縦断面図である。図２は、建物外壁の横断面図であり、図１に矢視II−II 線で示す断面図である。
カーテンウォール１は、建物躯体である床スラブ２や梁等に固定されるファスナー３に支持されて上下に延びる方立４と、この方立４の屋外側に沿って上下に適宜な間隔で固定される複数の支持体５と、上下の支持体５間に渡って架設される縦材６と、支持体５および縦材６に支持される面材としてのガラスパネル７とを備えて構成されている。
方立４は、断面略Ｈ字形の鋼材からなり、その屋外側のフランジ４Ａにボルト４Ｂおよびナット４Ｃ（図４参照）を介して支持体５が固定されるようになっている。
【００１７】
ガラスパネル７は、その下端縁７Ａ（図３参照）が下側の支持体５における屋外側端部近傍に支持されるとともに、上部が上側の支持体５における見込み方向屋内側に入った位置に支持され、ガラスパネル７の上端部７Ｂは、上側の支持体５を上方に貫通して上側のガラスパネル７の下部屋内側に対向して設けられている。すなわち、ガラスパネル７は、下方から上方に向かうにしたがって、見込み方向屋外側から屋内側に向かって傾斜した状態で支持されている。さらに、上側のガラスパネル７の下部と、下側のガラスパネル７の上端部７Ｂとの間には、適宜な間隔の隙間Ｓが形成されており、この隙間Ｓを介して屋内空間と屋外空間とが連通されて通気可能に構成されている。すなわち、隙間Ｓによって通気手段が構成されている。
【００１８】
そして、縦材６は、ガラスパネル７の傾斜に合わせて屋内側に向かって傾斜した状態で架設されるとともに、その上端部が上側の支持体５の下面で止まっている。従って、縦材６は、上下の支持体５間においてガラスパネル７の側端縁７Ｃ（図４参照）を支持するものの、上側の支持体５を貫通して上方に突出したガラスパネル７の上端部７Ｂを支持せず、このためガラスパネル７の上端部７Ｂは、支持体５や縦材６に支持されない自由突出端となっている。また、縦材６は、支持体５に上下端部が固定される角筒状の縦材本体６Ａと、この縦材本体６Ａに屋外側から係合可能な縦材押縁６Ｂとを有して構成され、これらの縦材本体６Ａと縦材押縁６Ｂとの間にシール材６Ｃを介してガラスパネル７の側端縁７Ｃを保持できるようになっている。
【００１９】
次に、図３〜図５も参照して支持体５の構造を詳しく説明する。ここで、図３は、カーテンウォール１における支持体５部分を拡大して示す縦断面図であり、図４は、支持体５部分を拡大して示す横断面図である。図５は、支持体５を示す分解斜視図である。
支持体５は、それぞれアルミ押出形材製の第１部材１１および第２部材１２を備えて構成され、第１部材１１は、見付け方向左右に平行な材軸Ａ１（押出成形方向）を有して中空状に形成され、第２部材１２は、上下方向に平行な材軸Ａ２（押出成形方向）を有して形成され、第１部材１１の中空部２５に挿入されて組み合わされるようになっている。
【００２０】
第１部材１１は、上面部２１、底面部２２、第１屋内面部２３および第１屋外面部２４からなる中空部２５と、第１屋内面部２３よりも屋内側に突出してボルト４Ｂを保持する固定溝部２６と、底面部２２に連続して第１屋外面部２４よりも屋外側に突出して上方に開口する屋外側凹溝部２７とを有して形成されている。上面部２１および底面部２２には、それらの見込み方向中間位置を左右から見付け方向（材軸Ａ１方向）内側に切り欠いた各一対の屋内側切欠部２８，２９が形成されており、従って第１部材１１は、平面視で略Ｈ字形に形成されている。また、屋外側凹溝部２７によって、第１支持部１３が構成され、この第１支持部１３によって、支持体５よりも上方かつ左右に設けられるガラスパネル７の下端縁７Ａが止水材１４および気密材１５を介して支持されるようになっている。
【００２１】
一方、第２部材１２は、それぞれ矩形中空状の屋内側中空部３１および屋外側中空部３２と、これら屋内外の中空部３１，３２を連結する連結部３３とを有して平面視全体Ｈ字形に形成されている。屋内側中空部３１は、第２屋内面部３４と、左右一対の屋内見付面部３５と、屋内対向面部３６とを有し、屋外側中空部３２は、第２屋外面部３７と、左右一対の屋外見付面部３８と、屋外対向面部３９とを有して形成されている。このような第２部材１２には、屋内外の対向面部３６，３９と連結部３３とによって、見付け方向左右に開口した一対の屋内側凹溝部１２Ａが形成され、第２部材１２を第１部材１１の中空部２５に挿入した状態で、屋内側凹溝部１２Ａと屋内側切欠部２８，２９とが上下に重なって連続することで、側方に開口する一対の第２支持部１６が構成されている。これらの第２支持部１６には、左右に設けられるガラスパネル７の上端部７Ｂ近傍の側端縁７Ｃが、シール材１７を介して支持されるようになっている。
【００２２】
以上の支持体５は、互いに交差する方向の材軸Ａ１，Ａ２を有した第１部材１１および第２部材１２を組み合わせて構成されているので、第１部材１１に屋内側切欠部２８，２９が形成されていても、支持体５の強度を確保することができる。さらに、第１部材１１の中空部２５に第２部材１２を挿入して組み合わせることで、支持体５の組み立てが容易にできるとともに、各部材の組立精度も向上させることができる。また、第１部材１１および第２部材１２をそれぞれアルミの押出し形材によって形成し、これらで支持体５を構成することで、鋳造製や鍛造製のものと比較して製造コストを低減することができる。
【００２３】
以上のカーテンウォール１では、ガラスパネル７の下端縁７Ａが支持体５の第１支持部１３に支持され、ガラスパネル７の上端部７Ｂ近傍の側端縁７Ｃが支持体５の第２支持部１６に支持されるので、無目等の横材が不要にできる。さらに、ガラスパネル７の上端部７Ｂと上側のガラスパネル７の下部との対向間に横材がなく隙間Ｓが形成されることで、開放感を向上させることができるとともに、意匠性を良好にすることができる。そして、隙間Ｓを介して屋内外が通気されるので、屋内空間の換気が可能になっているとともに、ガラスパネル７の上端部７Ｂが上側のガラスパネル７の下部に重なり、上方に延びて設けられているので、屋外から雨等が降り込むことが防止できる。
【００２４】
〔第２実施形態〕
次に、図６、図７に基づいて本発明の第２実施形態を説明する。
図６は、第２実施形態のカーテンウォール１Ａを示す縦断面図である。図７は、カーテンウォール１Ａの要部を示す正面から見た縦断面図および横断面図である。
本実施形態のカーテンウォール１Ａでは、ガラスパネル７を支持する支持体の形態が前記第１実施形態と相違するとともに、第１実施形態よりも隙間Ｓの見込み寸法が大きく形成されて中間面材としての水平ガラスパネル８が設けられる点が相違するものの、その基本構成は、前記第１実施形態のカーテンウォール１と略同様である。以下、相違点を詳しく説明する。
【００２５】
水平ガラスパネル８は、その見付け方向の側端縁８Ａが支持体５の第１部材１１に挿入され、シール材を介して保持されている。すなわち、本実施形態の支持体５では、第２部材１２の見付け方向幅寸法が第１部材１１よりも小さく形成され、屋外見付面部３８が第１部材１１の中空部２５の内部側に入り込んで設けられ、水平ガラスパネル８の側端縁８Ａを受け入れ可能に構成されている。また、水平ガラスパネル８の屋内側の側端縁と下側のガラスパネル７の上端部７Ｂ近傍とは、シール材８Ｂを介して接続され、水平ガラスパネル８の屋外側の側端縁と上側のガラスパネル７の下端縁７Ａ近傍とは、シール材８Ｃを介して接続されている。従って、カーテンウォール１Ａは、屋内空間と屋外空間とを気密かつ水密に区画する外壁として構成されている。
なお、中間面材としては、水平ガラスパネル８に限らず、金属製や樹脂製の適宜な板材（例えば、パンチングメタル）であってもよく、さらには、透光、遮光の切り替えが可能なルーバー材などの機能部材であってもよい。
【００２６】
なお、本発明は、前記実施形態に限定されるものではなく、本発明の目的を達成できる他の構成等を含み、以下に示すような変形等も本発明に含まれる。
例えば、前記実施形態では、ガラスパネル７を支持する支持体５が方立４に固定されていたが、これに限らず、支持体５が建物躯体に直接支持されていてもよい。また、上下の支持体５間に縦材６が架設され、この縦材６にガラスパネル７の側端縁７Ｃが保持されていたが、縦材６を省略してガラスパネル７の側端縁７Ｃ同士をシール材等で接続する構成であってもよい。また、前記実施形態の支持体５は、その左右両側に第２支持部１６が形成され、左右のガラスパネル７の側端縁７Ｃを支持する構成を説明したが、これに限らず、支持体５の左右いずれかの片側に第２支持部１６が形成され、片側のガラスパネル７を支持する構成であってもよい。
【００２７】
また、前記実施形態では、支持体５を備えた面材支持構造をカーテンウォール１，１Ａに適用した例を説明したが、本発明の面材支持構造は、カーテンウォールに限らず、屋根やドーム状構造物など、適宜な構造物に利用することができ、その用途は特に限定されない。
さらに、前記実施形態では、支持体５でガラスパネル７を支持する構成を説明したが、支持体で支持する対象の面材は、ガラスパネル７に限らず、金属製や樹脂製の適宜なパネル材であってもよく、さらには、四周の框材とその内部にパネルを保持して構成された障子によって面材が構成されていてもよいし、開閉可能な窓部を有して面材が構成されていてもよい。
【００２８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２９】
【図１】本発明の第１実施形態に係るカーテンウォールを示す縦断面図である。
【図２】前記カーテンウォールを示す横断面図である。
【図３】前記カーテンウォールおける面材支持構造を示す縦断面図である。
【図４】前記面材支持構造を示す横断面図である。
【図５】前記面材支持構造を示す分解斜視図である。
【図６】本発明の第２実施形態に係るカーテンウォールを示す縦断面図である。
【図７】前記カーテンウォールの要部を示す縦断面図および横断面図である。
【符号の説明】
【００３０】
１，１Ａ…カーテンウォール、５…支持体（面材支持構造）、６…縦材、７…ガラスパネル（面材）、７Ａ…下端縁、７Ｂ…上端部、７Ｃ…側端縁、８…水平ガラスパネル（中間面材）、１１…第１部材、１２…第２部材、１２Ａ…屋内側凹溝部、１３…第１支持部、１６…第２支持部、２５…中空部、２７…屋外側凹溝部、２８，２９…屋内側切欠部、Ａ１，Ａ２…材軸、Ｓ…隙間（通気手段）。
【図１】
2010163838.tif 000003
【図２】
2010163838.tif 000004
【図３】
2010163838.tif 000005
【図４】
2010163838.tif 000006
【図５】
2010163838.tif 000007
【図６】
2010163838.tif 000008
【図７】
2010163838.tif 000009